(57)【特許請求の範囲】
【請求項１】
自然画像（３０）の使用に基づき被験者の眼（２０）の自覚屈折特性を判断するためのシステム（１０）であって、
−少なくとも１つの自然画像（３０）が格納されるメモリ装置（１１）と、
−前記メモリ装置（１１）から少なくとも１つの自然画像（３０）を表示するための表示装置（１２）と、
−前記被験者の眼（２０）と前記表示装置（１２）との間の光路内に様々な光屈折素子（１４、１５）を設定するための光学配置（１３）であって、前記光学配置（１３）は前記表示装置（１２）から規定距離（ｄ）に配置され、前記自然画像（３０）は様々な空間周波数（ｆ）を有する少なくとも２つの領域を有する、光学配置（１３）とを含み、
前記自然画像は空間周波数依存コントラスト（Ｋ）を有し、前記コントラストは前記空間周波数（ｆ）が増加すると低下する、システム（１０）。
【請求項２】
前記コントラスト（Ｋ）は前記空間周波数（ｆ）に反比例する、ことを特徴とする請求項１に記載のシステム。
【請求項３】
前記自然画像の前記コントラスト（Ｋ）はより高い空間周波数に対し高められ、特に、前記自然画像により描写される自然風景のコントラストレベルまで高められる、ことを特徴とする請求項１又は２に記載のシステム。
【請求項４】
前記自然画像（３０）は、１つの画像内の前記被験者の眼（２０）の自覚屈折特性を判断することに必要な複数の空間周波数を含む空間周波数（ｆ）の分布を有する、ことを特徴とする請求項１乃至３のいずれか一項に記載のシステム。
【請求項５】
前記自然画像（３０）は様々な空間周波数（ｆ）を有する構造を描写し、
前記空間周波数分布は、前記規定距離（ｄ）において観測されると、０．３以下の少なくとも１つの空間周波数と６０角解像度以上の少なくとも１つの空間周波数とを有する、ことを特徴とする請求項１乃至４のいずれか一項に記載のシステム。
【請求項６】
前記被験者の嗜好に従って前記自然画像（３０）を選択するための選択装置を特徴とする請求項１乃至５のいずれか一項に記載のシステム。
【請求項７】
前記自然画像（３０）は少なくとも１つの異質なコンポーネントを有する、ことを特徴とする請求項１乃至６のいずれか一項に記載のシステム。
【請求項８】
少なくとも１つの視力記号が前記自然画像（３０）へ少なくとも部分的に組み込まれる、ことを特徴とする請求項１乃至７のいずれか一項に記載のシステム。
【請求項９】
前記表示装置（１２）は湾曲表示面を有する、ことを特徴とする請求項１乃至８のいずれか一項に記載のシステム。
【請求項１０】
前記被験者の頭の運動および／または眼球運動を捕らえるための手段（１８）を特徴とする請求項１乃至９のいずれか一項に記載のシステム。
【請求項１１】
前記自然画像（３０）は映像であることを特徴とする請求項１乃至１０のいずれか一項に記載のシステム。
【請求項１２】
前記システム（１０）はさらに偏心光屈折器（１９）を有する、ことを特徴とする請求項１乃至１１のいずれか一項に記載のシステム。
【請求項１３】
被験者の眼（２０）の自覚屈折特性を判断するための複数の画像領域を有する自然画像（３０）の使用であって、様々な画像領域は様々な空間周波数を有し、前記自然画像は自然風景を描写し、空間周波数依存コントラスト（Ｋ）を有し、前記コントラストは前記空間周波数（ｆ）が増加すると低下する、使用。
【請求項１４】
自然画像（３０）の使用に基づき被験者の眼（２０）の自覚屈折特性を判断するための方法（１００）であって、前記方法は、
−自然画像（３０）の使用に基づき被験者の眼（２０）の自覚屈折特性を判断するためのシステム（１０）を設ける工程であって、前記システムは、
−少なくとも１つの自然画像（３０）が格納されるメモリ装置（１１）と、
−前記メモリ装置（１１）から少なくとも１つの自然画像（３０）を表示するための表示装置（１２）と、
−前記被験者の眼（２０）と前記表示装置（１２）との間の光路内に様々な光屈折素子（１４、１５）を設定するための光学配置（１３）とを含む、工程と、
−前記メモリ装置（１１）内に格納される少なくとも１つの自然画像（３０）を前記表示装置（１２）上に表示する工程と、
−前記光学配置（１３）を使用することにより前記被験者の眼（２０）と前記表示装置（１２）との間の光路内に様々な光屈折素子（１４、１５）を設定する工程であって、前記表示装置（１２）から規定距離（ｄ）に前記光学配置（１３）が配置される、工程と、を含み、
前記自然画像（３０）は様々な空間周波数（ｆ）を有する少なくとも２つの領域を有し、
前記自然画像は空間周波数依存コントラスト（Ｋ）を有し、前記コントラストは前記空間周波数（ｆ）が増加すると低下する、方法（１００）。
【発明の詳細な説明】
【技術分野】
【０００１】
本発明は、自然画像の使用に基づき被検者の眼の自覚屈折特性（ｓｕｂｊｅｃｔｉｖｅ  ｒｅｆｒａｃｔｉｏｎ  ｐｒｏｐｅｒｔｉｅｓ）を判断するためのシステムに関する。本発明はさらに、自然画像または自然風景の使用に基づき被検者の眼の自覚屈折特性を判断するための方法と、被検者の眼の自覚屈折特性を判断するために自然画像を使用することとに関する。
【背景技術】
【０００２】
自覚屈折判断に関し、例えば被験者の陳述に基づき被験者の屈折誤差を判断するために球面または円柱試験用レンズが被験者の眼の前で旋回される測定用眼鏡またはフォロプターなどの検査装置が知られている。
【０００３】
国内および国際基準に従う自覚屈折判断では、視力検査文字（ｏｐｔｏｔｙｐｅｓ）としても知られる規定視力記号が常に使用される。視力検査文字は、高コントラストを有する白色背景上の黒で示される。基準ＤＩＮ視力記号として受け入れられているランドルト環（Ｌａｎｄｏｌｔ  ｒｉｎｇ）のストローク幅（活字の大きさの１／５）は視力１を対象とした行では１分の角度で眼に対して現われるようにされる。別の視力記号は子供を検査するために頻繁に使用されるタンブリング（ｔｕｍｂｌｉｎｇ）Ｅである。近視力の検査では、文字表（例えば、Ｎｉｅｄｅｎ読み取り表として知られたもの）が頻繁に使用される。この視力検査文字は個々に提示されるまたは５または１０個の視力検査文字の行で提示される。
【０００４】
屈折判断のために、様々なサイズの視力検査文字が規定距離において被検者に対して連続的に示される。このため、被検者は表示される視力検査文字から所定距離に座る。眼の欠陥は被検者の解像能力の閾値に近づくことにより判断される。
【０００５】
米国特許第６，３２５，５１３号明細書は、被検者がこのような測定の場合リラックスした姿勢をとれなく自然な視覚的印象が歪められるという事実を従来技術における不都合として説明する。このため、米国特許第６，３２５，５１３号明細書は、屈折判断のための記号が網膜上に投影されるコンパクトな測定用眼鏡の一種を提案する。米国特許第６，３２５，５１３号明細書の中で提案される解決策により、生成される測定用画像と環境との重ね合せが、快適でかつリラックスした座位姿勢により可能にされる。自覚屈折判断は視力検査文字を参照してなされる。
【０００６】
独国特許出願公開第４０９１１２６Ｃ２号明細書は、左眼用と右眼用の視力検査記号が交互に表され得る表示装置を有する双眼視力試験のための装置を開示する。表される視力検査記号のいくつかが左眼にだけ示され、そのいくつかは右眼にだけ示され、そのいくつかは両眼に示されるように制御される制御可能密閉装置がこのために提供される。これにより双眼視力試験を可能にする。表示装置は十分に高いフレームレートを有するテレビモニタであり得る。しかし、テレビモニタは通常、必要輝度（例えば２５０ｃｄ／ｍ２）で個々の眼毎に別々の視力記号を表すのに十分な高輝度を有していない。
【発明の概要】
【発明が解決しようとする課題】
【０００７】
この背景に対して、本発明の目的は、被検者の眼の自覚屈折特性を判断するためのシステムおよび方法を提供することである。本システムおよび方法は、屈折判断をさらに改善し、特に習慣的屈折誤差の有意な判断を可能にする。
【課題を解決するための手段】
【０００８】
したがって、本発明の第１の態様によると、自然画像の使用に基づき被検者の眼の自覚屈折特性を判断するためのシステムを提供することが提案される。本システムは、
−少なくとも１つの自然画像が格納されるメモリ装置と、
−メモリ装置から少なくとも１つの自然画像を表示するための表示装置と、
−被験者の眼と表示装置との間の光路内に様々な光屈折素子を設定するための光学配置であって、表示装置から規定距離に配置される光学配置と、を含む。
【０００９】
視力記号の伝統的表現は習慣的屈折の判断における最適結果を必ずしも与えるとは限らないということが分かった。単眼または両眼条件下でかつＭＫＨ−Ｈａａｓｅ方法（Ｈａａｓｅ後の測定および補正方法論）中に眼の屈折誤差を測定する際に使用される国内および国際基準に従う伝統的視力検査文字がそれぞれの基準に従って呈示される。しかし、これらの基準条件は通常、被検者が日常生活において遭遇し得る条件に対応しない。
【００１０】
景観の写真などの自覚屈折判断のための自然画像（特には、自然風景）を使用することが本開示の文脈内で提案される。ここで、自然画像は好適には、画像内に表される対象物の縁から生じる空間周波数分布と、好適には空間周波数依存コントラストとにより区別される。空間周波数依存コントラストは特に、空間周波数が増加すると低下する。Ｍｉｃｈｅｌｓｏｎに従うコントラストの判断における本発明の文脈で使用される自然画像のコントラスト範囲、すなわち自然画像内に発生するコントラストの範囲は、好適には０．２（これを含む）〜１（これを含む）、好適には１（これを含む）〜０．３（これを含む）、好適には０．４（これを含む）〜１（これを含む）である。
【００１１】
空間周波数は、どれくらい頻繁に画像の正弦波成分が反復するかの尺度である。画像の正弦波成分間の距離が非常に大きければ、これは低い空間周波数と粗い構造とに対応する。対照的に、正弦波成分間の距離が短ければ、これは高い空間周波数と細かな詳細とに対応する。表示装置からの距離が変化すれば、観察画像の特定空間周波数も変化する。したがって、規定サイズを有する画面の長さおよび／またはピクセルを基準とした空間周波数が表示装置からの観測距離ｄに依存するということが理解される。しかし、空間周波数はまた、角解像度（ｃｐｄ（ｃｙｃｌｅｓ  ｐｅｒ  ｄｅｇｒｅｅ）とも呼ばれる）での距離非依存値として変換され与えられ得る。空間周波数は視角の単位角当たりの縁の数を意味するものと理解され得る。
【００１２】
その空間的表現に加えて例えば様々な階調または色レベルの画素の行列の形式で画像はまた、その中に含まれる空間周波数により記述され得る。簡単に言えば、小さな空間周波数はより大きな構造に対応する。高い空間周波数はより小さな構造に対応する。したがって、空間周波数は描写される構造のサイズの尺度である。
【００１３】
さらに、視力検査文字を使用する際、正しい答えを常に与えることが被検者の望みである。これは、被検者が場合により自分にプレッシャーをかける一種の試験状態を生じる。例えばタンブリングＥとその４つの可能な配向などの視力記号の正しい答えの解空間が制限される。被検者は正しい結果の識別を強いるために瞬間的に目を細めて見る可能性がある。
【００１４】
さらに、被検者は場合により、自身の典型的頭位および体位をとらなく、不自然なまたは緊張した位置で座ることになる。これもまた、異なるやり方で知覚される視覚的印象を生じ、最悪の場合、確定される度数に悪影響を与え得る。その結果、自覚屈折判断の結果と被検者の習慣的屈折誤差との乖離が発生し得る。
【００１５】
したがって、ここで説明する解決策では、規定特徴を有する自然画像を参照して被検者の眼の自覚屈折特性の判断を行うということが提案される。自然画像はここでは、特に人が住む典型的環境の自然風景の写真または描写であり得る。屈折判断は、自然画像内に示されるコンテンツに基づき被験者の日常視力条件に合わせられ得る。視力記号を上回るこの解決策の別の利点は、被験者がどの回答を与えることが期待されているかを事前に知らないということである。
【００１６】
自然画像に基づき、解像能力の閾値への近似により眼の習慣的屈折誤差を判断することが可能である。この目的を達成するために、自然画像は様々な構造サイズまたは空間周波数の様々な特徴を有する。表示装置から規定距離で視認されると、様々なサイズの特徴は、次に解像能力を判断するために使用される様々な観察角度に対応する。例えば、被験者が木または岩形成などの構造を検出し得るかどうか、または光路内の光屈折素子により、被験者が検出し得るかどうかを試験することが可能である。試験環境の自然風景についても同様である。
【００１７】
光学配置は、球面または円柱試験レンズなど様々な光屈折素子を被検者の眼と表示装置との間の光路内に導入するのに役立つ。光学配置は例えばフォロプターまたは測定用眼鏡であり得る。
【００１８】
本発明の第２の態様によると、画像の使用に基づき被検者の眼の自覚屈折特性を判断するためのシステムが提案される。本システムは、
−複数の画像領域を有する少なくとも１つの画像が格納されるメモリ装置であって、様々な画像領域は様々な（特に漸増）空間周波数を有し、様々な画像領域は空間周波数が増加すると低下する空間周波数依存コントラストを有する、メモリ装置と、
−メモリ装置から少なくとも１つの（特に自然）画像を表示するための表示装置と、
−被検者の眼と表示装置との間の光路内に様々な光屈折素子を設定するための光学配置であって、表示装置から規定距離で配置される光学配置と、を含む。
【００１９】
本発明の第３の態様によると、被験者の眼の自覚屈折特性を判断するための複数の画像領域を有する自然画像を使用することが提案される。様々な画像領域は様々な（特に漸増）空間周波数を有し、自然画像は自然風景を描写する。
【００２０】
本発明の第４の態様によると、自然画像の使用に基づき被検者の眼の自覚屈折特性を判断するための方法が提案される。本方法は、
−自然画像の使用に基づき被検者の眼の自覚屈折特性を判断するためのシステムを提供する工程であって、本システムは、
−少なくとも１つの自然画像が格納されるメモリ装置と、
−メモリ装置から少なくとも１つの自然画像を表示するための表示装置と、
−被検者の眼と表示装置との間の光路内に様々な光屈折素子を設定するための光学配置と、を含む、工程と、
−メモリ装置内に格納される少なくとも１つの自然画像を表示装置上に表示する工程と、
−光学配置を使用することにより被検者の眼と表示装置との間の光路内に様々な光屈折素子を設定する工程であって、光学配置は表示装置から規定距離で配置される、工程と、を含む。
【００２１】
本発明の第５の態様によると、自然画像の使用に基づき被検者の眼の自覚屈折特性を判断するための方法が提案される。本方法は、
−自然画像の使用に基づき被検者の眼の自覚屈折特性を判断するためのシステムを提供する工程であって、本システムは、
−複数の画像領域を有する少なくとも１つの画像が格納されるメモリ装置であって、様々な画像領域は様々な空間周波数を有し、自然画像は自然風景を描写する、メモリ装置と、
−メモリ装置から少なくとも１つの自然画像を表示するための表示装置と、
−被検者の眼と表示装置との間の光路内に様々な光屈折素子を設定するための光学配置とを有する、工程と、
−メモリ装置内に格納される少なくとも１つの自然画像を表示装置上に表示する工程と、
−光学配置を使用することにより被検者の眼と表示装置との間の光路内に様々な光屈折素子を設定する工程であって、光学配置は表示装置から規定距離で配置される、工程と、を含む。
【００２２】
本発明の第６の態様によると、自然風景の使用に基づき被験者の眼の自覚屈折特性を判断するための方法が提案される。本方法は、
−自然風景を有する試験環境を提供する工程であって、所定位置（Ｐ）から見た自然風景は様々な空間周波数の様々な領域を有する、工程と、
−被検者の眼と自然風景との間の光路内に様々な光屈折素子を設定するための光学配置を提供する工程と、
−光学配置を使用することにより被検者の眼と自然風景との間の光路内に様々な光屈折素子を設定する工程であって、光学配置は所定位置に配置される、工程と、を含む。
【００２３】
本発明の第１の態様に関して詳細に上に説明された利点は、本発明の別の態様にそれに応じて適用される。
【００２４】
屈折判断は、習慣的屈折判断を被験者の自然視力条件により似た条件下で行うことが可能であるので、提案された解決案によりさらに改善され得る。
【００２５】
したがって、初めに述べられた目的は十分に達成される。
【００２６】
本システムの１つの構成では、自然画像または自然画像の画像領域は、空間周波数が増加すると低下する空間周波数依存コントラストを有し得る。
【００２７】
換言すれば、眼の自覚屈折特性を判断するための自然画像または画像の少なくとも１つの領域は高い空間周波数より低い空間周波数においてより大きいコントラストを有し得る。ここでの低い空間周波数はより大きな構造に対応する。ここでの高い空間周波数はより小さな構造に対応する。この文脈で、用語「自然画像」は、空間周波数が増加すると低下する空間周波数依存コントラストを有する少なくとも１つの画像領域を有する画像を指し得る。対照的に、国内および国際基準に従う従来の視力検査表内の視力検査文字は構造サイズまたは空間周波数とは独立に一定コントラストを有する。従来の視力検査表では、大小の視力検査文字は通常、白色背景上に黒で表される。結局、従来の視力検査表上の視力検査文字の表現は０．９〜１の一定値を有するＭｉｃｈｅｌｓｏｎによる一定コントラストを空間周波数とは独立に有する。対照的に、Ｍｉｃｈｅｌｓｏｎによるコントラストの判断における本発明の文脈で使用される自然画像のコントラスト範囲は、好適には０．２（これを含む）〜１（これを含む）、好適には１（これを含む）〜０．３（これを含む）、好適には０．４（これを含む）〜１（これを含む）である。
【００２８】
コントラストは好適には空間周波数に反比例し得る。少なくとも部分的に、関係Ｋ（ｆ）∝１／ｆまたはより一般的にはＫ（ｆ）∝ｆａが適用され得る。ここで−１．５≦ａ≦−０．８、特にはａ＝−１．２。対照的に、例えば白色背景上の黒色視力検査記号を有する従来の視力検査表は、空間周波数に対して一定コントラストを有する。これにより、従来の視力検査表内の視力検査文字の最大認識可能性を保証することになる。しかし、空間周波数が増加すると低下する空間周波数依存コントラストを少なくとも領域内に有する自然画像（例えば、眼の自覚屈折特性を判断するための自然風景または画像）の使用は従来の屈折判断を越える結果を提供し得るということが予想外に分かった。特に、被検者は、屈折判断のこのような結果に基づき適応化される視覚補助（ｖｉｓｕａｌ  ａｉｄ）が日常生活の中でより快適である、と感じ得る。
【００２９】
コントラストまたは測光（ｐｈｏｔｏｍｅｔｒｉｃ）コントラストは輝度の差であると理解され得る。コントラストは空間的に多かれ少なかれ隣接する刺激間で判断され得る。Ｍｉｃｈｅｌｓｏｎによると、格子パターンのコントラストＫＭは次式により定義される。
【数１】
0006491798.tif 000002
ここで、ＬＭａｘ＝輝度密度最大値、ＬＭｉｎ＝輝度密度最小値。この場合、固定された平均輝度におけるコントラストは、輝度を同じ量だけ増加または低下することにより変化する。しかし、例えばランドルト環などの小さな視力対象物が使用されれば、コントラストは次のＷｅｂｅｒに従って定義され得る。
【数２】
0006491798.tif 000003
ここで、ＬＩ＝内側視野輝度密度、ＬＵ＝外側視野輝度密度。視力の検査に関して、コントラストはＷｅｂｅｒに従って定義される。本開示内の陳述はＭｉｃｈｅｌｓｏｎによるコントラストの定義に関する（Ｂｅｘ．ｅｔ  ａｌ．“Ｓｐａｔｉａｌ  ｆｒｅｑｕｅｎｃｙ，ｐｈａｓｅ，ａｎｄ  ｔｈｅ  ｃｏｎｔｒａｓｔ  ｏｆ  ｎａｔｕｒａｌ  ｉｍａｇｅｓ，”Ｊｏｕｒｎａｌ  ｏｆ  ｔｈｅ  Ｏｐｔｉｃａｌ  Ｓｏｃｉｅｔｙ  ｏｆ  Ａｍｅｒｉｃａ，Ｖｏｌ．１９，Ｎｏ．６，２００２も参照）。
【００３０】
好適には、自然画像のコントラストは、より高い空間周波数に関し高められ、特に、自然画像により描写される自然風景のコントラストレベルまで高められる。
【００３１】
より高い空間周波数に対するコントラストを増加することにより、自然画像の画像記録中の撮像システムの低域通過特性が補償され得る。この構成の１つの利点は、自然画像が表示装置上で観測されれば、もたらされる視覚的印象は、自然風景の描写よりむしろ自然風景を直接観測していれば被験者が有するであろうものに似たものとなる。
【００３２】
本システムの１つの構成では、自然画像またはその中に描写される自然風景が典型的環境の描写となるような手立てがなされ得る。
【００３３】
この構成の１つの利点は、被験者が慣れているコンテンツを見、その結果として、試験状態から自身を心理的に分離することがより良くできることである。したがって、被験者は通常、よりリラックスした姿勢をとることになる。自然画像は好適には、人が住む典型的環境の描写（特には、写真、または写真のようにリアルな描写、またはレンダリングされた描写）に対応し得る。例えば、景観の画像が被験者に示され得る。特に、自然画像は、景観シーンの写真または写真のようにリアルな描写、特に景観シーン（特に、景観に典型的な動植物を有する）の連続的表現であり得る。したがって、自然画像は被験者が慣れている環境であり得る。これによって、典型的視力状態が屈折判断の基準をなすので、習慣的屈折判断においてより良好な結果を達成することが時には可能である。さらに、自然画像は、海岸、森林などの画像など被験者において明白な関連性をもたらすように選択され得る。
【００３４】
本システムの別の構成では、自然画像が自覚屈折特性を判断するための特徴を有するような手立てがなされ得る。
【００３５】
特に本システムの１つの構成では、様々な空間周波数を有する少なくとも２つの領域を自然画像が有するような手立てがなされ得る。様々な空間周波数を有する領域は視力を試験するのに役立つ。小さな構造（換言すると、高い空間周波数）を分解することができるためには、素晴らしい視力が必要である。特定視力に対応する空間周波数の特定範囲に属する「当該領域」（ＲＯＩ：ｒｅｇｉｏｎｓ  ｏｆ  ｉｎｔｅｒｅｓｔ）として知られているものを自然画像内に規定することが可能である。したがって、換言すれば、ＲＯＩは照査されるべき空間周波数の範囲を含む自然画像内の領域を表し得る。眼の欠陥は解像能力の自然閾値に近づくことにより判断される。ここでの高い空間周波数は小さな構造サイズに対応する。被験者は、自身の解像能力の閾値に達するまで、様々な空間周波数を有する領域、好適には高くなり続ける空間周波数を有する領域（換言すると、比較的小さな構造サイズまたは対象物）から特徴の名前を挙げるように要求され得る。漸増空間周波数を有する領域のコントラストは低下することが好ましい。コントラストは特に空間周波数に反比例し得る。
【００３６】
本システムの別の構成では、１つの画像内の被検者の眼の自覚屈折特性を判断するために必要な複数（好適にはすべて）の空間周波数を含む空間周波数の分布を自然画像が有するような手立てがなされ得る。
【００３７】
換言すれば、自然画像は好適には、詳細忠実度に応じて大きくかつ詳細忠実度が低下すると低下する空間周波数の規定分布を有する。この結果、屈折誤差の判断のためのすべての閾値は１つの画像内に同時に呈示され得ることが好ましい。この構成の１つの利点は、単一画像だけが屈折判断に必要であるということである。一例として、超高層ビル風景は、最大要素として建物から、中型要素として車両、小要素として個々の文字を有する広告掲示板までを含み得る。さらに徐々に増やしていく方法が当然可能である。別の例に示すのは、山脈から葉またはモミの針状の葉までを有する自然風景である。従来の視力検査表とは対照的に、自然画像は、画像要素のサイズが一方向に（例えば、上から下まで）ずっと小さくなるように、設定されないことが好ましい。特に、一連のサイズは一方向に単調に増加または低下しない。画像内の空間周波数の分布は特に擬似乱数的であり得る。結局、この分布は、被験者により直ちに識別可能となり得るような方式に従わない。視力検査文字または個々の視力検査文字は任意選択的に、拡張的やり方（ａｕｇｍｅｎｔａｔｅｄ  ｆａｓｈｉｏｎ）で呈示され得る（特には、このような風景内に埋め込まれ得る）。
【００３８】
本システムの別の構成では、様々な空間周波数（ｆ）を有する構造を自然画像が描写するような手立てがなされ得る。ここでは、空間周波数分布は、規定距離において観測されると、０．３以下の少なくとも１つの空間周波数と６０角解像度以上の少なくとも１つの空間周波数（好適には０．０１以下の少なくとも１つの空間周波数と８０角解像度以上の少なくとも１つの空間周波数）とを有する。
【００３９】
空間周波数分布は、被験者の視力が角度解像能力力の測度であると考えられ得るので、角解像度で（すなわち角度に対する空間周波数として）与えられることが好ましい。角度は、被験者が表示装置を視認する規定距離と、表示装置上に表示される構造のサイズとから計算され得る。一例として、自然画像は０．００９〜８５角解像度の空間周波数分布を有し得る。別の例では、自然画像は０．０２〜７０角解像度の空間周波数分布を有し得る。結局、これは下側値≦所与範囲≦上側値の関係を与える。この範囲内の間隔の構造は任意数の空間周波数を呈示し得る。この場合の空間周波数を有する構造は空間周波数に対応する空間サイズを有する構造を意味するものと理解される。
【００４０】
本システムの別の構成では、被験者の嗜好に従って自然画像を選択するための選択装置をシステムがさらに有するような手立てがなされ得る。
【００４１】
この構成の１つの利点は、屈折判断が被験者の典型的環境に（例えば、照明、コントラスト、カラースペクトラム、表されるコンテンツの観点で）適応化され得るということである。屈折判断において被験者の神経伝達関数をこのようにして考慮することが可能であることが好ましい。一例として、都市環境、森林、海岸など被験者にうってつけの環境が選択され得る。別の利点は、被験者が測定状態においてよりリラックスしており、その結果、被験者の眼の自覚屈折特性のより現実的な値が取得され得るという点に見られる。
【００４２】
本システムの別の構成では、少なくとも１つの異質なコンポーネントを自然画像が有するような手立てがなされ得る。
【００４３】
異質なコンポーネントは例えばコンピュータグラフィック的変化であり得る。この構成の１つの利点は、自然画像内の詳細の検出の期待を打ち砕くことが可能である点に見られる。例えば雲の特定形状、楓の木の上のオークの葉、または樹幹の予期しない形状など予期しない詳細が描写され得る。ここでは、また、被験者の期待を弄び、この被験者が期待しなかった異質なコンポーネントを標的化されたやり方で採用することにより、被験者の嗜好が考慮され得ると有利である。
【００４４】
本システムの別の構成では、少なくとも１つの視力記号が自然画像に少なくとも部分的に組み込まれるような手立てがなされ得る。
【００４５】
自覚屈折を判断するための国内および国際基準において示される視力記号またはそれらの幾何学形状は自然画像内に完全にまたは部分的に取り込まれ得ることが好ましい。例えば、自然画像の特徴の距離またはストローク厚さが標準視力記号のものに対応し得る。
【００４６】
本システムの別の構成では、表示装置が湾曲表示面を有するような手立てがなされ得る。
【００４７】
湾曲画面は、湾曲網膜を有する眼の解剖学的条件に対応するので有利である。それにもかかわらず、従来のフラットスクリーン上の表現も可能である。眼の解剖学的条件への近似を可能にするためには、自然画像の表現は好適には、特に没入的感情（ｉｍｍｅｒｓｉｖｅ  ｆｅｅｌ）と、したがって屈折判断におけるより自然な視覚的印象とを提供するように５５インチ以上の対角のスクリーンを有する湾曲表示ユニット上で発生する。しかし、従来のモニタの使用は排除されない。空中の直線状または曲線状面上へのプロジェクタを使用する表現もまた実現可能である。近距離から遠距離における仮想距離までの好適に大きな視野と調整可能焦点領域とを有する仮想現実（ＶＲ：ｖｉｒｔｕａｌ  ｒｅａｌｉｔｙ）システムと、任意選択的に一体化フォロプターまたは適応化光学ユニットとの使用もまた実現可能である。表示面が湾曲していれば、観察者の眼からの距離は表示面の点毎に個々に判断され得る。簡略化目的のために、曲率中心からの距離が考慮され得る。ホログラフィ眼鏡もまた使用され得る。
【００４８】
本システムの別の構成では、自覚屈折特性の判断が２次元空間内の単眼的やり方でまたは両眼条件下の単眼的やり方で果たされるような手立てがなされ得る。
【００４９】
したがって、屈折判断は２次元または３次元条件下でなされ得る。３次元空間における屈折判断と双眼条件では、偏波フィルタが例えば右眼と左眼の寄与を分離するために使用され得る。
【００５０】
本システムの別の構成では、システムが被験者の頭の運動および／または眼球運動を捕らえる手段をさらに有するような手立てがなされ得る。
【００５１】
この構成に従って、眼球運動を測定する手段がシステムへ組み込まれれば、どの空間周波数が頻繁に視認されるかを実時間で好適に追跡することが、視認される画像上の眼球運動の分布を解析することにより可能である。どの空間周波数が頻繁に検出されるかをそれから導出することが可能である。次に、これは、眼鏡有りと眼鏡無しとの眼の分解可能閾値を正確に規定するために使用され得る。眼の自覚屈折特性は、光学配置により様々な光屈折素子（例えば球面レンズなど）を連続的に導入し、次に各場合において眼の分解可能閾値を判断することにより判断され得る。これは、屈折誤差が補正されるまで繰り返され得る。この構成の１つの利点は、被験者の至急フィードバック無しに被験者の屈折パラメータの判断がなされ得るということである。これは、明瞭に表現することができないまたは十分に明瞭に表現することができない被験者（例えば、子供または障害を有する被験者の場合など）において特に有利である。被験者の頭の運動が捕捉されれば、これは被験者の屈折特性が判断される間に被験者の頭の運動に実時間で適応化されるように画像が視認されることを可能にする。
【００５２】
本システムの別の構成では、自然画像が動画または映像であるような手立てがなされ得る。
【００５３】
この構成の１つの利点は、屈折判断がよりリラックスした被験者により行われるように測定状態のストレスが解消され得るということである。結局、この結果は自然視力条件に対応する可能性が高い。動画は、習慣的屈折判断中に被験者に呈示される２次元または３次元映像であり得る。
【００５４】
本システムの別の構成では、システムが偏心光屈折器（ｅｃｃｅｎｔｒｉｃ  ｐｈｏｔｏｒｅｆｒａｃｔｏｒ）をさらに有するような手立てがなされ得る。
【００５５】
屈折判断中、屈折誤差の連続測定は例えば偏心光屈折により行われ得ることが好ましい。ここでは、試験者は、屈折判断中に例えば自身のスクリーン上の眼の残留屈折を追跡し、自身の屈折の質を照査し得る。偏心光屈折器は、自然画像が呈示される表示装置と同じ距離に配置されることが好ましい。代替的に、光屈折器は光学配置に備えられ得る、またはその一部として設けられ得る。したがって、光学配置は偏心光屈折器を含み得る。
【００５６】
自然画像を使用することによる習慣的屈折誤差の確認は、例えば測定用眼鏡、手動フォロプター、またはディジタルフォロプターを使用する既知の主観的方法に取り込まれ得ることが好ましい。
【００５７】
一例として、自然画像からの画像コンテンツにより屈折判断の以下の工程の１つまたは複数を行うことが可能である。最良の球面レンズを判断する工程と、乱視を判断する工程と、乱視の軸位置合わせ工程と、乱視の度数調整工程と、単眼および／または双眼球面微調整（赤／緑）工程。この処理中、被験者は自然画像が表される表示装置を見る。習慣的屈折誤差を測定するために、被験者は、眼の球面誤差また場合により乱視誤差が判断されるとともにその結果、補正され得るように、例えば景観の画像内の木、枝、または葉などの画像コンテンツを評価し、読み出し、識別しなければならない。屈折判断の目的はここでは、最大正補正における最大限に検知可能な空間周波数による習慣的自覚屈折特性の補正である。
【００５８】
前述の特徴と以下に説明される特徴は、本発明の範囲から逸脱すること無しに、各場合において規定された組み合わせだけでなく他の組み合わせでまたはそれ自体で使用され得ることは言うまでもない。特に、上記構成と発展形態は、自然画像にだけではなく、本発明の上記別の態様に、特に自然風景と共に試験環境にそれに応じて適用される。
本発明の実施形態は図に示され、以下の明細書においてさらに詳細に説明される。
【図面の簡単な説明】
【００５９】
【図１】自然画像の使用に基づき被検者の眼の自覚屈折特性を判断するためのシステムの実施形態を示す。
【図２】対応方法の実施形態を示す。
【図３】自然風景に基づき被験者の眼の自覚屈折特性を判断するための例示的シナリオを示す。
【図４】対応方法の実施形態を示す。
【図５】従来の視力検査表の例を示す。
【図６】従来の視力検査表の空間周波数全体にわたるコントラストの概略図を示す。
【図７】自然画像の例を示す。
【図８】図７の例示画像の空間周波数図を示す。
【図９】様々な空間周波数の領域の表記を有する図７の例示画像を示す。
【図１０】本開示による画像の空間周波数全体にわたるコントラストの概略図を示す。
【図１１】被験者の眼の自覚屈折特性を判断するための方法の実施形態を示す。
【発明を実施するための形態】
【００６０】
図１は、自然画像の使用に基づき被検者の眼の自覚屈折特性を判断するためのシステムの実施形態を示す。本システムはここでは参照符号１０によりその全体が指示される。
【００６１】
被検者の眼２０の自覚屈折特性を判断するためのシステム１０は、ここでは、少なくとも１つの自然画像３０が格納されるメモリ装置１１と、メモリ装置１１から少なくとも１つの自然画像３０を表示するための表示装置１２と、被験者の眼２０と表示装置１２との間の光路内に様々な光屈折素子１４、１５を設定するための光学配置１３であって、表示装置１２から規定距離ｄに配置される光学配置１３とを含む。
【００６２】
この実施形態におけるメモリ装置１１は、表示装置１２へ組み込まれてもよいし、表示装置１１から物理的に離れて配置され、ケーブル無しでまたはケーブルに束縛されたやり方で表示装置１１に接続されてもよい。必要なすべては、メモリ装置１１内に格納された自然画像３０が表示装置１２上に表示され得るということである。
【００６３】
本例における表示装置１２はフラットスクリーンテレビセットである。後者は好適には５５インチ以上の対角のスクリーンを有する。表示装置の表示面は、自然画像３０のより没入的表現を可能にするようにさらに湾曲され得る。したがって、屈折判断中の視力状態は、被検者の典型的環境における典型的視力条件により近い。表示装置は３Ｄスクリーンであり得る。３次元表現の１つの利点は、自覚屈折特性の判断が２次元空間における単眼的やり方でだけでなく任意選択的に双方向条件下の単眼的やり方でもなされ得るということである。自然画像を映像シーケンスの形式で動かす表現もまた可能である。３Ｄ表現のために、シャッター技術または偏波フィルタなどの既知の技術が使用され得る。表示装置１２は任意選択的にホログラフィディスプレイである。
【００６４】
本例における光学配置は、２つのレンズ素子１４、１５により簡単な形式で概略的に示されるフォロプターである。代替的に、例えば測定用眼鏡が使用され得る。屈折判断の１つの例示的シナリオでは、被験者は、表示装置１２から規定距離において表示装置１２の反対側の検査椅子に座り、光学配置１３を介し表示装置１２上に呈示される自然画像３０を観測する。屈折判断の例示的シーケンスについては、図１１を参照して以下にさらに詳細に説明する。
【００６５】
被験者の頭の運動および／または眼球運動を捕らえる手段１８をシステム１０が有するようにする手立てが任意選択的になされ得る。図示の実施形態では、システム１０は、表示装置１２上に配置されるこの目的のためのカメラ１８を有する。代替的に、例えば、動作感知器が使用され得る。眼球運動の電気眼球図記録（ＥＯＧ：Ｅｌｅｃｔｒｏｏｃｕｌｏｇｒａｐｈｉｃ）判断もまた可能である。
【００６６】
システム１０が偏心光屈折器１９を有するようにする手立てがさらに任意選択的になされ得る。偏心光屈折器１９は表示装置１２上に配置され得る。好適には、偏心光屈折器１９の一部であるだけでなくまた被験者の頭の運動および／または眼球運動を捕らえる手段として役立つカメラ１８が設けられる。したがって、相乗効果を得ることが可能である。
【００６７】
図２は、自然画像の使用に基づき被検者の眼の自覚屈折特性を判断するための方法の実施形態を示す。本方法は、１００により概して表される。
【００６８】
ここでの方法１００は以下の工程を有する。工程１１０では、図１を参照して一例として上に説明されたシステム１０が提供される。工程１２０では、メモリ装置１１内に格納される少なくとも１つの自然画像３０が表示装置１２上に表示される。ここでは、複数の画像領域を有する画像がメモリ装置内に格納されることも可能であり、様々な画像領域は様々な空間周波数を有し、自然画像は自然風景を描写し、前記画像は表示装置１２上に表示される。工程１３０では、様々な光屈折素子１４、１５が、被検者の眼２０と、光学配置１３を使用する表示装置１２との間の光路内に設定され、光学配置１３は表示装置１２から規定距離ｄに配置される。屈折判断の例示的シーケンスに関しては、図１１をもう一度参照する。
【００６９】
図３は、自然風景４０に基づき被写体２１の眼２０の自覚屈折特性を判断するための例示的シナリオを示す。
【００７０】
図４は、自然風景４０の使用に基づき被写体２１の眼２０の自覚屈折特性を判断するための対応方法４００を示す。本方法は以下の工程を含む。工程４１０では、自然風景４０を有する試験環境が提供され、所定位置Ｐから見た自然風景４０は様々な空間周波数の様々な領域を有する。工程４２０では、被検者の眼２０と自然風景との間の光路内に様々な光屈折素子１４、１５を設定するための光学配置１３が設けられる。工程４３０では、様々な光屈折素子１４、１５は被検者の眼２０と、光学配置１３を使用する自然風景との間の光路内に設定され、光学配置１３は所定位置Ｐに配置される。屈折判断の例示的シーケンスに関しては、図１１をもう一度参照する。
【００７１】
自然風景４０は、自然画像３０と同様に、被写体２１の異なる視角α１、α２に対応する異なる構造サイズの特徴を有する。図３に示す例では、自然風景４０は様々なサイズの一群の木を有する。例えば観測距離ｄ１から視認された木４１の高さｈ１は視角α１に対応する。被験者が木４１を検出できなければ、被験者の眼は、少なくとも光屈折光学素子１４、１５の助けなしには角度α１を分解することができない。試験目的のために、様々な光屈折素子１４、１５が被検者の眼２０と木４１との間の光路内に導入され得る。このようにして、被検者の眼の屈折誤差は補正され判断され得、被験者は所望構造（この場合は木４１）を検出し得る。さらなる詳細について図１１を参照して説明する。
【００７２】
本手順は、自然風景の別の構造または要素に対して繰り返され得る。連続的に小さくなる構造が使用されることが好ましい。この結果、被験者の解像力閾値への近似が得られる。教会４２の場合、被験者は、例えばどのようなタイプの建物が描写されているか、どれだけの数の窓を塔が有するか、何の物体が尖塔の頂部に位置するかと、次から次へと尋ねられ得る。例えば、被験者が教会尖塔上の風向計を見ることができれば、これは少なくとも視角α２の解像能力（観測距離ｄ２から風向計ｈ２の高さ）に対応する。換言すれば、自覚屈折特性の判断は、自然画像が表示される表示装置を使用することだけでなく、光学配置を介し自然風景を直接視認することによりなされ得る。自然画像に関する以下の陳述はそれに応じて適用される。
【００７３】
図５は、従来の視力検査表の例を示す。ここで使用される視力検査記号は数字である。しかし、ランドルト環またはタンブリングＥとして知られるものなど他の視力検査記号も慣習的なものである。視力検査表は多くの異なるサイズを有する線Ｌ０〜Ｌ９を有する。実際には、完全な個々の視力検査文字が視力の判断のために常に使用される。したがって、本例では、被験者は個々の数字について次から次へと互いに無関係に尋ねられる。
【００７４】
サイズと無関係に、視力検査記号は白色背景上の黒で示される。図６は、従来の視力検査表の空間周波数全体にわたるコントラストの対応概略図を示す。国内および国際基準に従って、コントラストは、特に視力記号のすべての試験サイズに対して、したがって使用されるすべての空間周波数に対して非常に高い（Ｍｉｃｈｅｌｓｏｎに従って理想的には１に等しい）必要がある。図６に示すように、コントラストは、空間周波数に対して一定であり、サイズと無関係にすべての視力検査記号に対して同じである。
【００７５】
図５に一例として示される視力検査表が使用されれば、個々の行は、眼の屈折誤差、したがって存在するいかなる屈折誤差も補償する最適眼鏡度数を規定するために使用される。特に、視力検査表が使用されれば、被験者の視力は個々の行内の光学配置の様々な光屈折素子を使用して試験され、光屈折素子は被験者が可能最小行を識別できるように変更される。０．０２７５センチメートル／ピクセル［ｃｍ／ｐｘ］のピクセル解像度を有するスクリーン上の１ｍの距離において高さが９９８ピクセル、幅が２，１２０ピクセルの画像サイズの図５の視力検査表が使用されれば、以下の視力値が表１に従って行Ｌ１〜Ｌ９に対して得られる。ピクセル寸法に関する陳述に加えて、詳細を識別することができるために必要とされる最低解像能力［ｌｏｇＭＡＲ］が与えられる。
【００７６】
【表１】
0006491798.tif 000004
【００７７】
従来の視力検査表とは対照的に、図７は、自然画像３０の例を示す。本例では、自然画像３０は被験者が住む典型的田園環境の１つの写真に対応することが好ましい。山脈の背景に対し湖の縁に小屋またはボートハウスが描写される。
【００７８】
自然画像の特性パラメータは特定規則に従う。自然画像の空間的コンテンツは例えばフーリエ変換により数学的に計算され得る。例えば、Ｍａｔｌａｂソフトウェアでは、命令ＦＦＴ２がここでは使用され得る。コンピュータモニタ上のピクセル濃度とモニタからの視距離に応じて、どの空間周波数が画像内に存在するかが確認される。
【００７９】
図８は、図７の例示画像の空間周波数図を示す。水平軸は空間周波数ｆを角解像度で与え、垂直軸は対応空間周波数の数Ａを与える。図８の例示は、０．０２７５センチメートル／ピクセル［ｃｍ／ｐｘ］のピクセル解像度により１ｍの距離において幅が１，９２０ピクセル、高さが１，２００ピクセルのサイズで視認された場合の図７の画像の空間的周波数解析またはフーリエ変換に対応する。図６は、図５の描写のｙ方向（換言すると垂直方向）の様々な空間周波数の数を与える。自然画像は時折、空間周波数の数（または空間周波数図の振幅）が、空間周波数が増加すると減少するという事実により特徴付けられ得る。この傾向は破線により図８に示される。特に、自然画像における空間周波数図の振幅は空間周波数に反比例する（Ｔｏｌｈｕｒｓｔ  ｅｔ  ａｌ．“Ａｍｐｌｉｔｕｄｅ  ｓｐｅｃｔｒａ  ｏｆ  ｎａｔｕｒａｌ  ｉｍａｇｅｓ，”Ｏｐｈｔｈａｌ．Ｐｈｙｓｉｏｌ．Ｏｐｔ．，Ｖｏｌ．１２，１９９２とＦｉｅｌｄ  ｅｔ  ａｌ．“Ｒｅｌａｔｉｏｎｓ  ｂｅｔｗｅｅｎ  ｔｈｅ  ｓｔａｔｉｓｔｉｃｓ  ｏｆ  ｎａｔｕｒａｌ  ｉｍａｇｅｓ  ａｎｄ  ｔｈｅ  ｒｅｓｐｏｎｓｅ  ｐｒｏｐｅｒｔｉｅｓ  ｏｆ  ｃｏｒｔｉｃａｌ  ｃｅｌｌｓ，”Ｖｏｌ．４，Ｎｏ．１２，Ｊｏｕｒｎａｌ  ｏｆ  ｔｈｅ  Ｏｐｔｉｃａｌ  Ｓｏｃｉｅｔｙ  ｏｆ  Ａｍｅｒｉｃａ，１９８７を参照）。
【００８０】
図５と同様に従来の視力検査表を使用する際、個々の視力検査記号を有する個々の行は自覚屈折特性または眼鏡度数を判断するために使用される。対照的に、図７と同様に自然画像を使用する際、様々な画像領域または様々な画像コンテンツが使用され得る。空間的周波数解析を使用することにより、画像コンテンツを導出することが好適には可能である。自然画像内の特徴または画像コンテンツの空間周波数から、視力への変換がなされ得る。
【００８１】
より良い例示のために、図９は、様々な空間周波数の領域の表記を有する図７の例示画像３０をもう一度示す。ここで、画像の様々な詳細は画像内の位置Ｐ１〜Ｐ７により規定される。対応ピクセル寸法は、ここではまた、一例として選択された様々な詳細のそれらの画素数により与えられる。選択される詳細は、習慣的屈折判断中に被験者に尋ねるために使用される当該領域（ＲＯＩ）として知られたものであり得る。
【００８２】
以下の例示的表は、０．０２７５センチメートル／ピクセル［ｃｍ／ｐｘ］の表示装置の解像能力により１ｍの距離において幅が１，９２０ピクセル、高さが１，２００ピクセルの画像サイズにおいて詳細を識別することができるために眼の視力がどれくらい素晴らしくなければならないかを示す。
【００８３】
【表２】
0006491798.tif 000005
【００８４】
図１０は、本開示による画像の空間周波数ｆ全体にわたるコントラストｋの概略図を示す。空間周波数に対し一定コントラストを有する従来の視力検査表とは対照的に、本開示では、屈折判断のために特に画像（そのコントラストは空間周波数が増加すると低下する）を使用することが提案される。コントラストを判断するために、画素の階調がその隣の画素の階調と比較され得る。コントラストは特に空間周波数に反比例し得る。
【００８５】
換言すれば、提案自然画像の別の規則は、空間周波数が増加するとコントラストが低下することにある。様々な自然画像を評価する際、例えばＴｏｌｌｈｕｒｓｔ  ｅｔ  ａｌ．（Ｔｏｌｈｕｒｓｔ，Ｄ．Ｊ．，Ｔａｄｍｏｒ，Ｙ．，＆  Ｃｈａｏ，Ｔ．（１９９２）．Ａｍｐｌｉｔｕｄｅ  ｓｐｅｃｔｒａ  ｏｆ  ｎａｔｕｒａｌ  ｉｍａｇｅｓ．Ｏｐｈｔｈａｌｍｉｃ  ａｎｄ  Ｐｈｙｓｉｏｌｏｇｉｃａｌ  Ｏｐｔｉｃｓ，１２（２），２２９−２３２．）は、空間周波数が増加するときの低下の傾斜は平均で−１．２であることを示した。この相関はまた、Ｂｕｒｔｏｎ  ｅｔ．ａｌ．（Ｂｕｒｔｏｎ  ｅｔ．ａｌ．，“Ｃｏｌｏｒ  ａｎｄ  ｓｐａｔｉａｌ  ｓｔｒｕｃｔｕｒｅ  ｉｎ  ｎａｔｕｒａｌ  ｓｃｅｎｅｓ，”Ａｐｐｌｉｅｄ  Ｏｐｔｉｃｓ，Ｖｏｌ．２６，Ｎｏ．１，１９８７）により説明されている。
【００８６】
図１１は、被験者の眼２０の自覚屈折特性を判断するための方法の例示的実施形態を示す。図７または図９の自然画像を使用することにより、または図３と同様に自然風景を有するシナリオでは、屈折判断は次のように行われ得る。
【００８７】
工程２１０では、当初、被験者の必要とされる球面が判断され得る。被験者は、自身の補正手段を着けていなく、光学ユニット１３を介し（本ケースではフォロプターを介し）表示装置１２上に示される自然画像３０を視認する。例えば、被験者は当初、位置１（家）に従って詳細を識別する必要がある。被験者がそうすることができなければ、当初、正レンズ（等級表による）が被験者の前に置かれ、被験者はこの正レンズがより悪いかどうかを尋ねられる。そうでなければ、補正は満足な結果が達成されるまで正レンズで続き得る。イエスであれば、負レンズが、さらに補正するために使用される。その後、等級表によるレンズと画像からのますますより小さな詳細とが使用され得る。例えば顧客が画像内の位置７（扉用付属部品）を識別することができれば、所望または最良の球面レンズが見出された。
【００８８】
次の表は球面レンズの等級表を示す。等級表は、視力に応じて球面補正の判断中に維持されるべきまたは加えられるべきレンズの等級を与える。
【００８９】
【表３】
0006491798.tif 000006
【００９０】
工程２２０では、乱視補正が判断され得る。最良の球面レンズが見出されると、乱視の試験が発生する。例えば、被験者は位置５を視認するように要求され得る。クロスシリンダ（等級表による等級）が導入され、被験者は、これがより良いかまたは悪いかどうかを尋ねられる。したがって、被験者の前にレンズを置きながらもう一度質問をすることが可能である。その答えに依存して、乱視が判断され、対応補正が使用される（イエス）または使用されない（ノー）。レンズに関する質問は、質問がいかなる改善または悪化も生じなくなるまで継続し得る。ここでは、球面誤差が（等級表に従って）追随されるということを保証するように注意がなされるべきである。
【００９１】
工程２３０では、乱視補正の軸方向位置が判断され得る。ここで、補正用円柱レンズの正確な軸方向位置がレンズフリッピング（ｌｅｎｓ  ｆｌｉｐｐｉｎｇ）検査により見出され得る。例えば、被験者はここでは位置３（植物）を見るように要求されることになる。レンズフリッピング検査は、顧客がレンズフリッピング検査中に２つの軸方向位置間のいかなる差異も見なくなるまで、継続される。
【００９２】
工程２４０では、単眼球面微調整が、特に工程２１０〜２３０の実行後に行われ得る。この目的を達成するために、被験者は、位置６を視認するように要求され得る。最大正を有する最高視力（すなわち最大視力）が達成されるまで、正レンズまたは負レンズが維持され得る。
【００９３】
工程２５０では、２番目の眼の屈折判断が前述の工程２１０〜２４０と同じように行われ得る。
【００９４】
工程２６０では、双眼球面微調整が行われ得る。この目的を達成するために、工程２４０は双眼条件下で行われ得る。この目的を達成するために、顧客は例えば空の雲を視認し得る。
【００９５】
任意選択的に、従来から知られた試験によるＨａａｓｅによる測定および補正方法論からの測定値の判断が球面、乱視、および円柱などの低次屈折誤差の確認の後に行われ得る。
【図１】
0006491798.tif 000007
【図２】
0006491798.tif 000008
【図３】
0006491798.tif 000009
【図４】
0006491798.tif 000010
【図５】
0006491798.tif 000011
【図６】
0006491798.tif 000012
【図７】
0006491798.tif 000013
【図８】
0006491798.tif 000014
【図９】
0006491798.tif 000015
【図１０】
0006491798.tif 000016
【図１１】
0006491798.tif 000017